(57)【特許請求の範囲】
【請求項１】
下面に走行用のキャスター(6)を固定していると共に、上に鞄本体(3)を連結している水平台(1)と、この水平台(1)に下端を連結している一対の支柱(5)と、この支柱(5)に水平姿勢から垂直姿勢折り畳みでき、かつ上下に移動できるように支柱(5)に連結している座台(31)と、この座台(31)の降下位置を制限する座台ストッパ(37)と、前記座台(31)に上端を傾動できるように連結している折畳脚(32)と、この折畳脚(32)の中間に一端を、他端を座台(31)の下面に、支柱(5)に接近し、又離れる方向に移動できるように連結している第１リンク(33)と、前記折畳脚(32)の中間に一端を、他端を水平台(1)又は支柱(5)の下端部に傾動できるように連結して折畳脚(32)の開度を制限する第２リンク(34)とを備え、
前記座台(31)と支柱(5)との連結部(40)が上昇されて、座台(31)と折畳脚(32)と第１リンク(33)と第２リンク(34)とを支柱(5)と平行な姿勢として折り畳まれ、前記座台(31)と支柱(5)との連結部(40)が降下されて座台(31)が水平方向に開かれて、支柱(5)との連結部(40)が前記座台ストッパ(37)に停止され、折畳脚(32)が開脚されて、第１リンク(33)が支柱(5)から離れる方向に移動され、第２リンク(34)が折畳脚(32)の開度を制限する状態で、座台(31)が第１リンク(33)と折畳脚(32)とを介して水平姿勢に保持されるようにしてなる折り畳み椅子を備える鞄において、
前記第１リンク(33)と前記第２リンク(34)を、折り畳み位置で弾性力の作用しない弾性ロッド(39)を介して連結しており、この弾性ロッド(39)の弾性力が、支柱(5)に対して傾動される第２リンク(34)でもって第１リンク(33)を座台(31)に沿って移動させるようにしてなる折り畳み椅子を有する鞄。
【請求項２】
前記座台(31)を垂直姿勢に係止するロック機構(50)を備えており、このロック機構(50)は垂直姿勢から水平姿勢に傾動するときにロック状態を解除するロック解除ボタン(51)を座台(31)の先端側に設けている請求項１に記載される折り畳み椅子を有する鞄。
【請求項３】
前記ロック機構(50)が、支柱(5)に固定している係止部(52)と、前記座台(31)の下面に連結されて前記係止部(52)の係止位置に弾性的に突出している弾性突出部(53)と、この弾性突出部(53)をロック解除ボタン(51)に連結して、弾性突出部(53)を係止位置から係止解除位置に移動させるリンク機構(54)とを備える請求項２に記載される折り畳み椅子を有する鞄。
【請求項４】
前記支柱(5)に、上下に移動できるように上下台を連結しており、この上下台に座台(31)と折畳脚(32)とを折り畳みできるように連結している請求項１に記載される折り畳み椅子を有する鞄。
【請求項５】
前記第１リンク(33)の端部が、前記第２リンク(34)の端部よりも折畳脚(32)の上部に連結されてなる請求項１に記載される折り畳み椅子を有する鞄。
【請求項６】
前記弾性ロッド(39)が弾性変形する硬質プラスチックである請求項１に記載される折り畳み椅子を有する鞄。
【請求項７】
前記支柱(5)の上端にグリップ(4)を固定している請求項１に記載される折り畳み椅子を有する鞄。
【発明の詳細な説明】
【技術分野】
【０００１】
本発明は、折り畳みできる椅子を設けている鞄に関し、とくに椅子を簡単に使用状態とし、また折り畳みできるようにして便利に使用できる折り畳み椅子を有する鞄に関する。
【背景技術】
【０００２】
折り畳みできる椅子を有する鞄は開発されている（特許文献１参照）。この鞄は、図１と図２に示すように、鞄の背面に連結されて、座台９１を開いて椅子９０に使用できることから、休憩するときに椅子として便利に使用できる。ただ、この椅子９０は、使用状態としたり、折り畳むのに手間がかかる欠点がある。それは、使用するときは、座台９１を水平に開いた後、折畳脚９２を開いて座台９１を水平に支持してロックし、さらに折り畳みするには、折畳脚９２を閉じて座台９１を支柱９５と水平な姿勢に折り畳みするからである。
【特許文献１】特開２００４−３４４３５５号公報
【発明の開示】
【発明が解決しようとする課題】
【０００３】
本発明は、以上の欠点を解決することを目的に開発されたものである。本発明の重要な目的は、簡単な構造で、簡単かつ容易に椅子を使用状態にでき、また折り畳みできる折り畳み椅子を有する鞄を提供することにある。
【課題を解決するための手段及び発明の効果】
【０００４】
本発明の折り畳み椅子を有する鞄は、下面に走行用のキャスター６を固定していると共に、上に鞄本体３を連結している水平台１と、この水平台１に下端を連結している一対の支柱５と、この支柱５に水平姿勢から垂直姿勢折り畳みでき、かつ上下に移動できるように支柱５に連結している座台３１と、この座台３１の降下位置を制限する座台ストッパ３７と、座台３１に上端を傾動できるように連結している折畳脚３２と、この折畳脚３２の中間に一端を、他端を座台３１の下面に、支柱５に接近し、又離れる方向に移動できるように連結している第１リンク３３と、折畳脚３２の中間に一端を、他端を水平台１又は支柱５の下端部に傾動できるように連結して折畳脚３２の開度を制限する第２リンク３４とを備える。鞄は、座台３１と支柱５との連結部４０が上昇されて、座台３１と折畳脚３２と第１リンク３３と第２リンク３４とが支柱５と平行な姿勢として折り畳まれ、座台３１と支柱５との連結部４０が降下されて座台３１が水平方向に開かれて、支柱５との連結部４０が座台ストッパ３７に停止され、折畳脚３２が開脚されて、第１リンク３３が支柱５から離れる方向に移動され、第２リンク３４が折畳脚３２の開度を制限する状態で、座台３１が第１リンク３３と折畳脚３２とを介して水平姿勢に保持される。さらに、鞄は、第１リンク３３と第２リンク３４を、折り畳み位置で弾性力の作用しない弾性ロッド３９を介して連結しており、この弾性ロッド３９の弾性力が、支柱５に対して傾動される第２リンク３４でもって、第１リンク３３を座台３１に沿って移動させる。
【０００５】
以上の鞄の折り畳み椅子が開かれる状態を図７に、折り畳まれる状態を図９に示す。図７に示すように、折り畳み位置にある座台３１が水平方向に開かれ、折畳脚３２が開脚されて、第２リンク３４が支柱５から離れるように傾動すると、図７の矢印Ｄで示すように、弾性ロッド３９の弾性力が第１リンク３３を、座台３１との連結位置が支柱５から離れる方向に移動させる。弾性ロッド３９が、第１リンク３３と第２リンク３４を折り畳み位置として弾性力が作用しないように、第１リンク３３と第２リンク３４に連結しているからである。この弾性ロッドは、第１リンクが開かれない位置にあって、第２リンクが開かれる位置にあると、弾性ロッドが弾性変形されて、その弾性力が、第１リンクを、座台との連結位置を支柱から離れる方向に付勢する。座台との連結位置が支柱から離れる方向に移動される第１リンクは、折畳脚を介して座台を下から支持する位置に移動する。したがって、開かれた座台は、支柱との連結側を座台ストッパで、支柱から離れる端部側を第１リンクと折畳脚とで支持して、水平な姿勢に保持する。また、図９に示すように、座台３１と支柱５との連結側を持ち上げて、座台３１が垂直方向に折り畳まれる状態では、座台３１に連結している折畳脚３２の上端が引き上げられて支柱５と平行な垂直姿勢に傾動される。この姿勢に傾動する折畳脚３２は、第２リンク３４を支柱５と平行な方向に傾動し、さらに傾動する第２リンク３４が弾性ロッド３９を介して、第１リンク３３と座台３１との連結位置を支柱５の方向に移動させる。この状態で、座台３１と折畳脚３２と第２リンク３４と第１リンク３３とが支柱５と平行な姿勢となって、折り畳み椅子は鞄本体の背面に薄く折り畳まれる。
【０００６】
本発明の折り畳み椅子を有する鞄は、以上のように、座台を開いて椅子として使用する状態にすると、弾性ロッドが第１リンクを座台の支持位置に移動させ、座台を閉じて椅子を折り畳む状態にすると、弾性ロッドが第１リンクを折り畳み位置に移動させる。このため、第１リンクと第２リンクとを弾性ロッドで連結する極めて簡単な構造としながら、ユーザーは簡単かつ容易に、しかも速やかに折り畳み椅子を使用状態にでき、また速やかに折り畳みして便利に使用できる。
【０００７】
本発明の請求項２の折り畳み椅子を有する鞄は、座台３１を垂直姿勢に係止するロック機構５０を備えており、このロック機構５０は、垂直姿勢から水平姿勢に傾動するときにロック状態を解除するロック解除ボタン５１を座台３１の先端側に設けている。
【０００８】
さらに、本発明の請求項３の折り畳み椅子を有する鞄は、ロック機構５０が、支柱５に固定している係止部５２と、座台３１の下面に連結されて係止部５２の係止位置に弾性的に突出している弾性突出部５３と、この弾性突出部５３をロック解除ボタン５１に連結して、弾性突出部５３を係止位置から係止解除位置に移動させるリンク機構５４とを備えている。
この鞄は、ロック解除ボタンを操作して座台を椅子の使用状態にでき、またロック機構でもって、座台を折り畳み位置に係止できる特徴がある。
【０００９】
本発明の請求項４の折り畳み椅子を有する鞄は、支柱５に、上下に移動できるように上下台３６を連結しており、この上下台３６に座台３１と折畳脚３２とを折り畳みできるように連結している。
この鞄は、簡単な構造としながら、座台を支柱に上下に移動でき、かつ傾動できるように連結して、折畳脚を座台に傾動できるように連結できる。
【００１０】
本発明の請求項５の折り畳み椅子を有する鞄は、第１リンク３３の端部を、第２リンク３４の端部よりも折畳脚３２の上部に連結している。
この構造は、第１リンクと第２リンクとが交差することなく簡単に折畳脚に連結できる。
【００１１】
本発明の請求項６の折り畳み椅子を有する鞄は、弾性ロッド３９を、弾性変形する硬質プラスチックとしている。
この構造は、弾性ロッドを安価に多量生産してコストを低減できる。
【００１２】
本発明の請求項７の折り畳み椅子を有する鞄は、支柱５の上端にグリップ４を固定している。
この構造は、支柱を鞄のグリップに併用するので、支柱の上端のグリップを握ってキャスターで移動でき、また椅子として使用するときは、支柱を座台の脚に使用できる。
【発明を実施するための最良の形態】
【００１３】
以下、本発明の実施例を図面に基づいて説明する。ただし、以下に示す実施例は、本発明の技術思想を具体化するための折り畳み椅子を有する鞄を例示するものであって、本発明は鞄を以下のものに特定しない。
【００１４】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１５】
図３ないし図９に示す折り畳み椅子を有する鞄は、底面の四隅部に、自由な方向に走行可能な首振り式のキャスター６を設けている水平台１と、この水平台１に装着している鞄本体３とを備える。図の鞄は、鞄本体３を脱着できるように水平台１に装着している。この鞄は、鞄本体３を簡単に交換できる特長がある。ただ、鞄本体は、脱着できないように水平台に固定することもできる。
【００１６】
水平台１は、プラスチックを成形して製作される。水平台１は、四隅部にキャスター６を設けて、上に鞄本体３を装着している。水平台１の片側には、上方に延長して自立するように一対の支柱５を固定している。支柱５は、上方に引出し自在であって上端にグリップ４を設けている。図の支柱５は伸縮ロッドで、伸長位置と収縮位置に停止させる支柱ストッパ１５とを備えている。
【００１７】
水平台１は、全体の平面形状を四角形、図にあっては長方形としている。水平台１は、長方形の長辺の片側に２本の支柱５を平行に固定している。長方形の短辺側には補強壁８を設けている。補強壁８は、水平台１の上面に垂直に伸びるように設けられる。補強壁８は、支柱５を固定している片側に向かって次第に高くしている。この補強壁８は、固定する支柱５をより強靭な構造で連結できる。補強壁８は、内面を平面状にして外側に補強リブ８Ａを一体的に成形して設けている。補強壁８は、縦方向に複数の補強リブ８Ａを設けると共に、上縁に沿っても補強リブ８Ａを設けている。この補強壁８は、軽くて強靭な構造にできる。また、補強リブ８Ａで外観の意匠を美しくできる特長もある。
【００１８】
水平台１と補強壁８は、プラスチックで一体的に成形される。水平台１と補強壁８とをプラスチックで一体的に成形している水平台１は、補強壁８と水平台１との連結強度を強くできる。ただ、本発明の鞄は、補強壁と水平台とを別々のプラスチックで成形して接着やネジ止等の構造で固定することもできる。図の水平台１は、両端に設けている補強壁８を側壁１０で連結している。側壁１０は、補強壁８の支柱連結側に設けている。側壁１０と補強壁８とは互いに直交する姿勢で連結されている。側壁１０は、補強壁８に一体的に成形されて、補強壁８を倒れないように補強する。側壁１０は、図３と図４に示すように、中央部分を低くして、中央部分に折り畳み椅子３０の第２リンク３４を傾動できるように連結している。補強壁８は、支柱５を挿入して連結する垂直穴７を設けており、この垂直穴７に支柱５を入れて連結している。図の鞄は、支柱５を角柱状としているので、垂直穴７を角柱状としている。垂直穴７に入れた支柱５は、補強壁８を貫通して先端を支柱５に押し付けている止ネジで固定される。ただ、支柱５を垂直穴７に接着して固定し、あるいは抜けない嵌合構造で連結することもできる。この構造で支柱５を水平台１に連結する構造は、支柱５を極めて強靭な構造で水平台１に固定できる。
【００１９】
水平台１は、上面を平面として、その下面には、図５に示すように、縦横に対して斜め方向に交差する補強リブ２８を一体的に成形して設けている。この水平台１は、全体を薄くしながら補強リブ２８で強靭な構造にできる。さらに水平台１は、交差して設けている補強リブ２８の間に、水平台１を上下に貫通する貫通孔２９を設けて、全体の重量をより軽くしている。
【００２０】
さらに、図３ないし図５の水平台１は、支柱５を固定している側部、図において左側に、水平台１の幅を広くする方向に突出する突出部９を設けている。この突出部９の上には支柱５を、下面にはキャスター６を固定している。突出部９を設けている水平台１は、その両側に固定するキャスター６の間隔を広くして安定できる。長方形の水平台１は、その横幅を狭くすると横に倒れやすくなるが、突出部９を設けてキャスター６の間隔を広くして横方向の安定性を向上できる。キャスター６は水平台１の四隅部に固定されるので、突出部９は支柱５を連結する側の両端部に設けられる。突出部９を設けている水平台１は、その幅を１４〜１６ｃｍとして、長さを２０〜３５ｃｍとしている。ただし、幅は１２〜３５ｃｍとすることもできる。
【００２１】
図３の鞄は、突出部９の間に折り畳み椅子３０を収納して、横幅を広くすることなく、折り畳み椅子３０を連結している。この鞄は、突出部９で横の安定性を向上しながら、突出部９によってできるスペースに折り畳み椅子３０を収納できる特長がある。
【００２２】
図の鞄は、水平台１の上面であって、補強壁８と側壁１０の内側に鞄本体３を装着している。鞄本体３は、可撓性シートを縫製して製作することができる。この鞄は、鞄本体３を脱着できるように装着する構造としている。ただし、鞄本体は、脱着できないように水平台に固定することもできる。図３ないし図５の鞄は、連結穴１２と連結フック１３を設けて、鞄本体３を脱着できるように装着する。
【００２３】
連結穴１２は、補強壁８に設けている。補強壁８は、上縁部分であって、支柱５に接近する位置に連結穴１２を貫通して設けている。この連結穴１２は、鞄本体３に固定している連結バンド３Ａを挿通して、鞄本体３を水平台１に連結する。図の連結穴１２は、上端縁と直線状として下端縁を湾曲する形状とする半楕円形状として開口している。この形状の連結穴１２は、鞄本体３に固定している連結バンド３Ａをスムーズに挿通して、鞄本体３を水平台１に連結できる特徴がある。ただ、連結穴は、スリット状とすることもできる。さらに、連結穴は、図示しないが、水平台に設けることもできる。この水平台は、支柱連結側と反対側に、上下に貫通して連結穴を設けることができる。
【００２４】
連結フック１３は、支柱５に連結している。図の鞄は、支柱５を、水平台１に下端を連結しているガイド筒５Ｂと、このガイド筒５Ｂに引出しできるように挿入している引出ロッド５Ａとで構成して、ガイド筒５Ｂの上端を連結する連結ロッド１１に連結フック１３を設けている。連結ロッド１１は、プラスチックでもって連結フック１３を一体的に成形して設けている。連結フック１３は上方に延長され、鞄本体３に設けられる連結隙間３Ｂに挿入されて、鞄本体３を外れないように連結する。鞄本体３は、上部に設けている連結隙間３Ｂに連結フック１３を入れ、下部に設けている連結バンド３Ａを水平台１に連結して、外れないように連結される。鞄本体３は、連結バンド３Ａを水平台１に連結して、水平台１から上昇しなくなる。上方に延長される連結フック１３は、上昇しない鞄本体３を外れないように連結する。
【００２５】
以上の連結穴１２と連結フック１３は、以下のようにして、鞄本体３を脱着できるように簡単に、しかもしっかりと外れないように連結する。
（１）鞄本体３の連結隙間３Ｂを連結フック１３に引っかける。
（２）この状態で、鞄本体３の下部に連結している連結バンド３Ａを、水平台１の補強壁８に設けてる連結穴１２に挿通させて連結する。連結バンド３Ａは一端を鞄本体３に縫着し、あるいは接着して連結しており、他端の先端には脱着連結具を設けている。脱着連結具は、ボタン、ホック、フック、マジックテープ（登録商標）等である。鞄本体３は、連結バンド３Ａの先端部を連結穴１２に挿通すると共に、この先端部を脱着連結具を介して鞄本体３に連結して、水平台１に連結される。
【００２６】
水平台１に装着された鞄本体３は、装着するときと反対に、連結バンド３Ａを外して、上昇させて連結フック１３から外して水平台１から外すことができる。以上の鞄本体３は、下部を水平台１に連結し、上部を連結フック１３に連結して、簡単に脱着して、しかもしっかりと水平台１に装着できる。鞄本体は、連結フックを使用することなく、連結バンドでもって上部と下部の両方を水平台に装着することもできる。
【００２７】
支柱５は、図６、図７及び図９の鎖線で示すように、伸長されてグリップ４が引き上げられると、水平台１に固定している片側から中央に向かってグリップ４を移動させるように湾曲している。この支柱５は、引き上げられたグリップ４を、水平台１の側部から中央に接近する方向に移動できる。ただ、この支柱は、グリップを引き上げた状態で、グリップを必ずしも水平台の中央に位置させる必要はない。
【００２８】
さらに、支柱は、図示しないが、伸長されてグリップが引き上げられると、水平台に固定している片側から中央に向かってグリップを移動させるように支柱を傾斜して水平台に固定することもできる。たとえば、水平台の左側に固定される支柱は、グリップが引き上げられると、グリップを水平台の左側から右側に向かって移動させるように、支柱を傾斜させる。傾斜する支柱も、湾曲する支柱と同じように、グリップを引き上げた状態で、グリップを必ずしも水平台の中央に位置させる必要はない。
【００２９】
さらに、図示しないが、鞄は、湾曲する支柱を傾斜して水平台の片側に固定して、グリップを引き上げて、水平台の片側から中央に向かって移動させることもできる。この鞄は、湾曲する曲率半径を大きくすると共に、傾斜角を直角に近くして、グリップを引き上げて水平台の中央に接近できる。それは、傾斜させることと湾曲させることの両方で、引き上げたグリップを水平台の側部から中央に移動できるからである。
【００３０】
以上の支柱５は、伸長されてグリップ４が引き上げられると、水平台１に固定している片側から中央に向かってグリップ４を移動させる構造としている。ただ、支柱は、必ずしもグリップを水平台の片側から中央に向かって移動するように配設する必要はなく、水平台の片側に垂直に固定して、伸長されてグリップが引き上げられると、水平台の片側の真上に向かってグリップを移動させる構造とすることもできる。
【００３１】
支柱５は、収縮状態、いいかえるとグリップ４を最も押し下げた状態では、グリップ４が鞄本体３の上部ないし上方に位置して支柱ストッパ１５で停止される。支柱５は、収縮されてグリップ４を最も低くする位置で、キャスター６の底面からグリップ４の上面までの距離を約５０ｃｍとする。ただし、支柱５は、収縮されてグリップ４を最も低くする位置で、キャスター６の底面からグリップ４の上面までの距離を、好ましくは３０〜８０ｃｍ、さらに好ましくは３５〜７０ｃｍとすることもできる。支柱５を収縮してグリップ４を最も低くする状態で、グリップ４を掴みやすいように、鞄本体３をグリップ４よりも低くする。支柱５は、伸長状態、いいかえるとグリップ４を最も高く引き上げた状態では、キャスター６の底面からグリップ４の中心までの高さが６０〜１００ｃｍ、好ましくは６５〜８５ｃｍとなる位置で支柱ストッパ１５で停止される。
【００３２】
支柱５は、水平台１に上下方向に伸びるように固定しているガイド筒５Ｂと、このガイド筒５Ｂに出し入れできるように挿入している引出ロッド５Ａとを備え、引出ロッド５Ａの上端にグリップ４を固定している。ガイド筒５Ｂと引出ロッド５Ａは、太さの異なる金属筒とすることができる。ただし、ガイド筒と引出ロッドは、プラスチックを角筒状に成形して製作することもできる。
【００３３】
図の鞄は、水平台１の片側に２本の支柱５を固定して、２本の支柱５の上端にグリップ４を連結している。さらに、図の鞄は、水平台１の片側の両端部に位置して２本の支柱５を固定している。すなわち、２本の支柱５の間隔を、長方形である水平台１の長辺の長さとほぼ等しくしている。このように、２本の支柱５を水平台１の両端部に固定する構造は、支柱５をより強靭な構造でしっかりと自立できる特長がある。それは、２本の支柱５と水平台１とグリップ４とで構成される長方形状の枠を大きくできるからである。この構造は、支柱５を伸長させて鞄を走行させる状態において、鞄の進行方向にグリップ４を押す力が、支柱５を倒す方向に作用するのを極減できる。したがって、グリップ４を握って歩行する時、あるいは杖に併用しながら押して移動する時においても、伸長された支柱５が倒れるのを防止しながら、安定して走行させることができる。また、支柱５と水平台１との連結部分にかかる負荷を極減できるので、この部分が損傷するのを有効に防止できる特長もある。
【００３４】
さらに、２本の支柱５を水平台１の長辺の両端に固定する構造は、鞄をキャスター６で走行させるときの水平台１の進行方向に対して、先端側の端部と後端側の端部とに支柱５を固定することになる。このため、先端側の支柱５では水平台１を引く方向に力を作用させ、後端側の支柱５では水平台１を押す方向に力を作用させて、水平台１を軽い力でスムーズに走行させることができる。とくに、この構造は、水平台１を優れた方向性で舵取りしながら走行できる。このため、底面の四隅部に自由な方向に走行可能なキャスター６を設けている水平台１を、優れた方向性で安定して走行できる特長が実現できる。
【００３５】
さらに、２本の支柱５は、ガイド筒５Ｂの上端を連結ロッド１１で連結している。ガイド筒５Ｂは、下端を水平台１に固定して、上端部分を連結ロッド１１で連結している。このように、ガイド筒５Ｂの上端を連結ロッド１１で連結する構造は、２本の支柱５を補強して、より安定して自立できる。図３で示すように、最も降下したグリップ４と連結ロッド１１との間には、手を入れる挿入隙間１４を設けている。降下したグリップ４を掴みやすくするためである。図のグリップ４は、プラスチックで全体をコ字状に成形して、両端の折曲部分を引出ロッド５Ａに連結して、挿入隙間１４を設けている。
【００３６】
支柱ストッパ１５は、支柱５の伸縮を停止できる全ての機構を利用できる。支柱ストッパ１５の一例を、図１０と図１１に示す。これらの図の支柱ストッパ１５は、引出ロッド５Ａの下端部に配設されて、ガイド筒５Ｂに向かって弾性的に突出する突出ピン１６と、ガイド筒５Ｂに設けられて、突出ピン１６が挿入される係止部１７と、突出ピン１６を係止部１７から強制的に引き抜く解除機構１８とを備える。
【００３７】
突出ピン１６は、ガイド筒５Ｂに向かって弾性的に突出するように、弾性部材１９を介して引出ロッド５Ａの下端部に装着されている。この突出ピン１６は、弾性部材１９に押圧されて引出ロッド５Ａから弾性的に突出している。係止部１７は、突出ピン１６が挿入される貫通孔または凹部である。図に示すガイド筒５Ｂは、突出ピン１６を挿入させる貫通孔を開口して係止部１７としている。係止部１７を貫通孔とする構造は、ここから突出ピン１６をガイド筒５Ｂの外側に突出させて、支柱５を確実に停止できる特長がある。このことは、とくに、支柱５を杖代わりに使用して、いいかえるとグリップ４に体重をかける姿勢として体を支えるときに極めて安全に使用できる。それは、突出ピン１６が不意に係止部１７から外れて、支柱５が押し込まれるのを有効に防止できるからである。また、グリップ４を持って鞄全体を持ち上げるときにも、支柱５が不意に引き出されるのを防止できる特長もある。このように、引出ロッド５Ａの位置を確実に固定できる支柱ストッパ１５は、グリップ４を上昇位置とする場合においても、また降下位置とする場合においても、極めて安全に使用できる特長がある。ただ、係止部は、突出ピンの先端部を挿入させる凹部とすることもできる。
【００３８】
ガイド筒５Ｂに設けた係止部１７は、図示しないが、引出ロッド５Ａを最も引き上げた状態と、中間まで引き上げた状態と、最も降下させた状態とで突出ピン１６を挿入する位置に係止部１７を設けている。引出ロッド５Ａが最も引き上げられた状態では、最も上の係止部１７に突出ピン１６が挿入され、引出ロッド５Ａが最も降下された状態では、最も下の係止部１７に突出ピン１６が挿入され、さらに、引出ロッド５Ａが中間まで引き上げられた状態では、突出ピン１６が中間の係止部１７に挿入されて支柱５の伸縮が停止される。このように、ガイド筒５Ｂの中間に係止部１７を設けた支柱５は、複数の段階に分けて引出ロッド５Ａを伸縮できる特長がある。ただ、支柱は、必ずしも中間位置で停止できる構造とする必要はなく、上昇位置と降下位置に停止させることもできる。さらに、支柱５は、ガイド筒５Ｂの中間に複数の係止部１７を設けて、中間まで引き上げた引出ロッド５Ａを複数の引き上げ位置で停止できる。この支柱５は、グリップ４の位置を少しずつ上下させて最適な位置を選択できる。
【００３９】
解除機構１８は、グリップ４に設けている押しボタン２０と、この押しボタン２０に連結されて、押しボタン２０で上下に移動される駆動ロッド２１と、駆動ロッド２１の下端に押圧されて、突出ピン１６を強制的に引き込む方向に回動する回動片２２とを備える。
【００４０】
押しボタン２０は、グリップ４の上面の中央部分に、上下に移動できるように配設している。押しボタン２０は、弾性体２３を介してグリップ４の下面に連結しており、この弾性体２３を介して弾性的に押し出されている。この押しボタン２０は、下面に駆動ロッド２１を連結しており、押しボタン２０が指で上下に移動されると、駆動ロッド２１を上下に駆動するようにしている。
【００４１】
駆動ロッド２１は、グリップ４と引出ロッド５Ａの内部に配設されており、押しボタン２０で上下に駆動されて回動片２２を回動させる。図に示す駆動ロッド２１は、グリップ４の下面に連結された水平ロッド２１Ａと、引出ロッド５Ａに挿通された垂直ロッド２１Ｂとを備える。水平ロッド２１Ａの両端は、垂直ロッド２１Ｂの上端の上方に位置しており、水平ロッド２１Ａが下方に押圧されると垂直ロッド２１Ｂを下方に押し下げるようにしている。垂直ロッド２１Ｂは、上端を、引出ロッド５Ａ内を上下に移動する挿入キャップ２４に挿通しており、垂直ロッド２１Ｂを引出ロッド５Ａ内で正確に上下に移動できるようにしている。ただ、水平ロッドの両端は、垂直ロッドの上端に連結することもできる。たとえば、駆動ロッドは、コ字状に折曲してなる１本のロッドとすることもできる。駆動ロッド２１の下端は、引出ロッド５Ａの下端まで延長されている。
【００４２】
回動片２２は、引出ロッド５Ａの下端に連結されており、駆動ロッド２１の下端に押圧されて突出ピン１６を強制的に引き込む方向に回動する。図に示す引出ロッド５Ａは、下端にガイドキャップ２５を連結しており、このガイドキャップ２５の内部に、垂直面内で回動できるように回動片２２を装着している。このガイドキャップ２５は、駆動ロッド２１の下端部を正確に上下動できるように、引出ロッド５Ａに挿入される連結筒部２６に、駆動ロッド２１を挿通する挿通孔２６Ａを開口している。回動片２２は、一端を回転軸２７を介してガイドキャップ２５に連結すると共に、他端の両側には、突出ピン１６に向かって突出するピン２２Ａを設けている。この回動片２２は、駆動ロッド２１で押圧されて回動するとき、ピン２２Ａの先端を突出ピン１６の両側に設けた突出部１６Ａに当接させて、回動するピン２２Ａで突出ピン１６を押圧して強制的に後退させる。駆動ロッド２１の押圧が解除されると、突出ピン１６は回動片２２のピン２２Ａに押圧されなくなり、弾性部材１９で弾性的に押し出されて回動片２２を元の姿勢に回動させる。
【００４３】
以上の解除機構１８は、押しボタン２０が押されると駆動ロッド２１が押し下げられて、駆動ロッド２１の下端に配設された回動片２２が回動される。回動する回動片２２は、ピン２２Ａの先端で突出ピン１６を引き抜く方向に移動させて、突出ピン１６を係止部１７から引き抜く。この状態で、支柱ストッパ１５は解除されて、引出ロッド５Ａがガイド筒５Ｂの内部を上下に移動できる状態となる。押しボタン２０を離すと、突出ピン１６が弾性部材１９に押圧されてガイド筒５Ｂに向かって突出できる状態となる。
【００４４】
この支柱ストッパ１５は、グリップ４に設けている解除機構１８の押しボタン２０を押して、突出ピン１６を強制的に引き込んで、支柱ストッパ１５を解除する。支柱ストッパ１５を解除して、引出ロッド５Ａを引き上げ、あるいは降下させる。突出ピン１６が引き込まれた引出ロッド５Ａは、ガイド筒５Ｂの内部を上下に移動する。押しボタン２０を離した後、グリップ４を所定の高さに調整すると、突出ピン１６が係止部１７に案内され、支柱５の伸縮が停止されて、グリップ４の上昇と降下が停止される。
【００４５】
以上の構造の支柱ストッパ１５は、簡単な構造で、支柱５を決められた位置に停止できる。ただし、本発明の鞄は、支柱ストッパを以上の構造に特定しない。支柱ストッパには支柱を所定の位置で停止できる全ての機構とすることができる。
【００４６】
さらに、図３ないし図５の鞄は、一対の支柱５の間に折り畳み椅子３０を連結している。折り畳み椅子３０を備える鞄は、たとえば、順番待ちのときや疲れたときに、椅子を開いて座って楽に休憩できる。とくに、本発明の鞄は、グリップ４を引き上げた状態では、杖として使用しながら移動できるので、折り畳み椅子３０を設けることにより、移動するときと移動しないときの両方を極めて安楽にできる特長がある。
【００４７】
図の鞄は、折り畳み椅子３０を水平台１の突出部９の内側に配設している。この鞄は、折り畳み椅子３０を、突出部９から突出しないように折り畳みして、全体の幅を広くすることなく、椅子を設けることができる。
【００４８】
折り畳み椅子３０は、開いて上に座る座台３１と、開いて座台３１を安定に支持する折畳脚３２と、座台３１を下から水平に支持する第１リンク３３と、折畳脚３２を所定の角度に開く状態で支持する第２リンク３４と、第２リンク３４と第１リンク３３に連結している弾性ロッド３９とを備えている。
【００４９】
座台３１は、一方の側部を傾動できると共に、上下に移動できるように支柱５に連結している。座台３１はプラスチックで成形して製作され、その両側と先端縁に沿って、下面に突出する周壁３５を一体的に成形している。周壁３５には、折り畳み状態で折畳脚３２を案内する第１切欠部３５Ａと、第２リンク３４を案内する幅広切欠部３５Ｂとを設けている。この座台３１は、折り畳み椅子３０を折り畳む状態で、第１切欠部３５Ａに折畳脚３２を案内して、幅広切欠部３５Ｂに第２リンク３４を案内して、折畳脚３２と第２リンク３４とを定位置に収納する。いいかえると、座台３１は、第１切欠部３５Ａに折畳脚３２を、幅広切欠部３５Ｂに第２リンク３４を収納する状態で、支柱５と平行な姿勢で折り畳まれる。
【００５０】
座台３１は、支柱５に沿って上下に移動する上下台３６に傾動できるように連結している。上下台３６は、両端を支柱５のガイド筒５Ｂに摺動できるように連結している。ガイド筒５Ｂは四角筒であるから、上下台３６はその両端に四角形の貫通孔３６Ａを設けて、この貫通孔３６Ａにガイド筒５Ｂを摺動できるように挿通している。上下台３６は、折り畳み椅子３０を開閉するとき、水平な姿勢で支柱５のガイド筒５Ｂに沿って上下に移動する。さらに、上下台３６の降下を停止させる座台ストッパ３７を支柱５に固定している。上下台３６は、座台ストッパ３７に当たって降下が停止される。座台ストッパ３７は、支柱５を挿通できる筒状で、支柱５に上下に移動しないように固定している。
【００５１】
折畳脚３２は、金属パイプの下端部を連結して全体の形状をコ字状として、その両端を、座台３１の連結部である上下台３６に傾動できるように連結している。折畳脚３２は、支柱５に対して傾斜する方向に開閉される。開かれた折畳脚３２は、その下端が支柱５から離れるので、開かれた折畳脚３２と支柱５とで安定して、座台３１を支持することができる。折畳脚３２は、開かれた状態で、座台３１をほぼ水平な姿勢とするように支持する。
【００５２】
第１リンク３３は、その下端を傾動できるように折畳脚３２に連結されて座台３１を水平な姿勢に保持する。第１リンク３３は、金属ロッドをコ字状に折曲加工したもので、その両端を折畳脚３２に傾動できるように連結している。座台３１は、コ字状に折曲している中間の水平部３３Ａを摺動できるスリット３８を下面に設けている。座台３１が折畳脚３２に対して開かれると、第１リンク３３の水平部３３Ａは座台３１のスリット３８を摺動する。第１リンク３３は、図５ないし図８に示すように、座台３１の先端側に倒れる姿勢で座台３１を水平に支持する。座台３１を折り畳むとき、第１リンク３３の水平部３３Ａをスリット３８に沿って座台３１の後方、図９において右側に移動させる。
【００５３】
第２リンク３４は、一端を折畳脚３２に、他端を水平台１に傾動できるように連結している２本のロッドである。第２リンク３４の一端である上端は、第１リンク３３の下端よりも、折畳脚３２の下部に連結している。いいかえると、第１リンク３３の下端を、第２リンク３４の上端よりも、折畳脚３２の上部に連結している。この構造は、第１リンク３３と第２リンク３４とが交差することなく簡単に折畳脚３２に連結できる。第２リンク３４の他端は、水平台１に設けている側壁１０の上端部に傾動できるように連結している。この第２リンク３４は、拡開角の中間に連結されて、折畳脚３２が開く角度を所定の角度に制限する。折畳脚３２は、図７の矢印Ｂで示すように、上下台３６を降下させながら開かれる。上下台３６が降下するにしたがって、折畳脚３２の開角度は大きくなる。上下台３６は、図６に示すように、座台ストッパ３７に当たって降下が停止される。この状態で、第２リンク３４は折畳脚３２が開くのを停止させる。
【００５４】
弾性ロッド３９は、ナイロン、ポリエチレン、ポリスチレン、ポリプロピレンなどの弾性変形する硬質プラスチックで成形している。図１２の弾性ロッド３９は、第１リンク３３と第２リンク３４とを挿通して連結される筒部３９Ａを両端に設けており、両端の筒部３９Ａの中間をプレート状に成形している。弾性ロッド３９は、第１リンク３３と第２リンク３４とを支柱５の間に折り畳み状態とする状態で弾性変形しない形状に成形している。弾性ロッド３９は、折り畳み状態で第１リンク３３と第２リンク３４の内側に配設されるように、上下の両端に、外側に突出するように筒部３９Ａを設けている。
【００５５】
さらに、図に示す折り畳み椅子３０は、開かれる座台３１に連動するように折畳脚３２を支柱５から離れる方向に傾動できる構造としている。この構造を図８の概略図で詳述する。図８の（ａ）は、座台３１と折畳脚３２と第１リンク３３と第２リンク３４とを支柱５と平行な姿勢として折り畳む状態を示している。この状態から、座台３１を水平方向に開こうとすると、図８の（ｂ）で示すように、折畳脚３２に対する座台３１の開き角が第１リンク３３によって制限される。それは、第１リンク３３の水平部３３Ａから第１リンク３３と折畳脚３２の連結点３３Ｂまでの間隔（Ｌ１）を、折畳脚３２の傾動軸４８から連結点３３Ｂまでの間隔（Ｌ２）よりも短くしているからである。図８の（ｂ）の矢印Ａで示すように、傾動軸４８を中心として水平方向に傾動される座台３１は、下面に設けたスリット３８内にある第１リンク３３の水平部３３Ａを座台３１の傾動方向である矢印Ｂで示す方向に引き上げようとする。この状態で、折畳脚３２の連結点３３Ｂには、矢印Ｂで示す方向に、第１リンク３３による引っ張り力が作用する。折畳脚３２は、第１リンクに引き上げられる状態となって、傾動軸４８を中心とするモーメントにより、図８の（ｃ）の矢印Ｃで示す方向に傾動する。すなわち、折畳脚３２は、開かれる座台３１に連動して、支柱５から離れる方向に傾動される。
【００５６】
さらに、折畳脚３２が支柱５から離れる方向に傾動すると、これに連動して、第２リンク３４が支柱５から離れるように傾動する。このとき、図８の（ｃ）で示すように、弾性ロッド３９が弾性変形して、第１リンク３３を、図の矢印Ｄで示す方向に付勢する。この状態になると、弾性ロッド３９は、その弾性力で、第１リンク３３の水平部３３Ａを、図の矢印Ｄで示す方向、すなわち、支柱５から離れる方向に移動させる。この方向に移動する水平部３３Ａは、座台３１のスリット３８に沿って座台３１の先端方向に移動する。さらに、この状態で、座台３１の連結部４０を、図８の（ｄ）の矢印Ｅで示すように降下させて、折畳脚３２を大きく開脚し、開脚される折畳脚３２と、座台３１の先端側に倒れる第１リンク３３とで座台３１を水平姿勢に支持する。
【００５７】
この構造の折り畳み椅子は、座台３１を開くときに、折畳脚３２を手で開く必要がなく、また、第１リンク３３を座台３１の先端側に手で倒すことなく、簡単かつ速やかに座台３１を開いて折り畳み椅子３０を使用状態にできる。ただ、本発明の鞄は、必ずしも、折り畳み椅子を開くときに、開かれる座台に連動するように折畳脚を支柱から離れる方向に傾動できる構造とする必要はない。座台を水平方向に開く状態で、座台と支柱との連結部を降下させて、折畳脚を開脚できるからである。
【００５８】
さらに、図に示す鞄は、座台３１を垂直姿勢に係止するロック機構５０を備えている。このロック機構５０は、図１３ないし図１８に示すように、座台３１を垂直姿勢から水平姿勢に傾動するときにロック状態を解除するロック解除ボタン５１と、支柱５に固定している係止部５２と、座台３１の下面に連結されて係止部５２の係止位置に弾性的に突出している弾性突出部５３と、この弾性突出部５３をロック解除ボタン５１に連結して、弾性突出部５３を係止位置から係止解除位置に移動させるリンク機構５４とを備える。
【００５９】
ロック解除ボタン５１は、座台３１の先端部、すなわち支柱５に連結している連結部４０の反対側の端部に設けている。図４の折り畳み椅子３０は、座台３１の先端縁に凹部３１Ａを設けて、ここにロック解除ボタン５１を配置している。ロック解除ボタン５１は、座台３１の上面から突出しないように、座台３１の上面と同一面、あるいは座台３１から下がった位置にあって、座台３１に座るときに違和感がない状態としている。ロック解除ボタン５１は、リンク機構５４で弾性的に座台３１の表面に突出するように押圧されている。図１４と図１６に示すロック解除ボタン５１は、両端に上下に伸びるリブ５５を一体的に成形して設けている。座台３１は、このリブ５５を上下に移動するように案内するガイド溝４１を設けている。ガイド溝４１は、上端を閉塞している。リブ５５がガイド溝４１の上端に当たって、ロック解除ボタン５１の座台３１に対する上昇位置を特定している。いいかえると、リンク機構５４がロック解除ボタン５１を押し上げて、座台３１から上方に抜けない構造としている。
【００６０】
図の折り畳み椅子３０は、図１８に示すように、座台３１の降下を停止する座台ストッパ３７を係止部５２に併用している。座台ストッパ３７は、対向する内側に、弾性突出部５３を案内する切欠部を設けて係止部５２としている。この切欠部である係止部５２に弾性突出部５３が挿入されて、座台３１は垂直姿勢に係止される。
【００６１】
弾性突出部５３は、座台３１の下面に、互いに両側に突出し、また反対に接近する方向に往復運動できるように連結している。図１３ないし図１７の座台３１は、両側に突出するように一対の弾性突出部５３を設けている。さらに、これらの図の弾性突出部５３は、プラスチックをプレート状に成形して、その先端部に係止部５２に挿入される係止凸部５６を設けている。また、座台３１は、係止凸部５６を突出させるために、周壁３５に貫通孔３５ａを設けている。貫通孔３５ａの内形は係止凸部５６の外形よりも大きく、係止凸部５６を貫通孔３５ａに出入りできるように挿入している。さらに、弾性突出部５３は、座台３１の裏面に往復運動できるように連結するために、往復運動方向に伸びるスリット５７を設けている。このスリット５７に摺動できるように止ネジ７０をねじ込んでいる。止ネジ７０は、座台３１の下面に設けたボス４２にねじ込んでいる。止ネジ７０は、頭の外径がスリット５７の幅よりも広く、弾性突出部５３を座台３１に往復運動できるように連結している。この弾性突出部５３は、止ネジ７０で座台３１に連結され、さらに係止凸部５６を貫通孔３５ａに挿入して、座台３１に連結している。係止凸部５６は、座台３１の周壁３５から突出して係止部５２に連結され、また貫通孔３５ａに引き込まれて、係止部５２との係止状態が解除される。
【００６２】
弾性突出部５３は、図１７に示すように、座台３１との間に配設している押しバネの弾性体７１でもって、係止凸部５６を弾性的に突出させている。押しバネである弾性体７１は、座台３１に一体的に成形して設けているリブ４３と、弾性突出部５３に一体的に成形して設けているリブ５８との間に案内されて、弾性突出部５３の係止凸部５６を弾性的に突出させている。弾性的に突出される係止凸部５６は、座台３１を水平姿勢とする状態で、座台３１の下面側を傾斜面５６Ａとしている。傾斜面５６Ａは、座台３１の上から下に向かって座台３１の周壁３５に接近する方向に傾斜している。この係止凸部５６は、座台３１を水平姿勢から垂直姿勢に折り畳むときに、傾斜面５６Ａが座台ストッパ３７の内面を摺動してスムーズに座台３１の周壁内に押し込まれ、座台ストッパ３７の切欠部である係止部５２に案内されると、弾性体７１で弾性的に押し出される。このため、ロック解除ボタン５１を押すことなく、座台３１を垂直姿勢に折り畳んで、係止凸部５６をスムーズに係止部５２に案内して座台３１を折畳位置に係止できる。ただ、係止凸部は、必ずしも傾斜面とすることなく、ロック解除ボタンを押してロックを解除する状態として、座台を垂直姿勢に折り畳むこともできる。弾性突出部５３は、リンク機構５４との連結端に座台３１の下面に接近する方向に突出する連結軸５９を突出させている。
【００６３】
リンク機構５４は、ロック解除ボタン５１が押されると、支柱５から離れる方向に移動するように座台３１の下面に連結している。リンク機構５４は、支柱５から離れる方向と接近する方向に往復運動できるように座台３１の下面に連結している。図１４と図１６のリンク機構５４は、第１の端部５４Ａをロック解除ボタン５１に連結して、第２の端部５４Ｂを弾性突出部５３の連結軸５９に連結している。リンク機構５４は、第２の端部５４Ｂから中央部に向かって伸びるガイド隙間６０を設けている。このガイド隙間６０を案内するガイドリブ４４を座台３１の下面に一体的に成形して設けている。ガイド隙間６０の内幅はガイドリブ４４の厚さよりも大きく、リンク機構５４をガイドリブ４４に沿って往復運動できるように座台３１に連結している。
【００６４】
リンク機構５４は、図１７に示すように、第２の端部５４Ｂを弾性突出部５３と座台３１との間に配設して、弾性突出部５３で座台３１から外れないように連結される。第１の端部５４Ａは、座台３１に固定しているカバー６５で座台３１に外れないように連結している。カバー６５は内面に突出するように摺動リブ６５Ａを一体的に成形して設けている。カバー６５は、四隅を止ネジ７２で座台３１に固定している。止ネジ７２をねじ込むために、座台３１は、中心に雌ねじ穴を設けているネジロッド４５を内面に突出するように設けている。摺動リブ６５Ａは、カバー６５を座台３１に固定する状態で、リンク機構５４の下面に摺動できるように接触して、リンク機構５４を座台３１に往復運動できるように連結している。さらに、このカバー６５は、座台３１の下面との間に、第１リンク３３の水平部３３Ａを往復運動させるスリット３８を設けている。スリット３８の幅は、第１リンク３３の水平部３３Ａの外径よりも多少大きくして、水平部３３Ａをスムーズに往復運動できるようにしている。さらに、座台３１は、ガイドリブ４４の両側に、ガイドリブ４４と平行に、下面に突出する摺動リブ４６を設けている。以上の構造の座台３１とカバー６５は、座台３１の下面に突出するガイドリブ４４と摺動リブ４６の先端面と、カバー６５の内面に突出する摺動リブ６５Ａの先端面に沿って、第１リンク３３の水平部３３Ａをスリット３８内でスムーズに往復運動させる。
【００６５】
リンク機構５４は、弾性突出部５３の連結軸５９を連結するために、第２の端部５４Ｂに線対称に一対の傾斜スリット６１を設けている。一対の傾斜スリット６１は、図１４と図１６に示すように、ロック解除ボタン５１が押されてリンク機構５４が引っ張られと、その間隔を狭くする方向に傾斜している。このリンク機構５４がロック解除ボタン５１で引っ張られると、傾斜スリット６１で連結軸５９を互いに接近させる方向に移動させて、係止凸部５６を座台３１の周壁３５から内側に引き込む。したがって、係止凸部５６が係止部５２である切欠部から外れて、係止状態が解除される。
【００６６】
さらに、リンク機構５４は、ロック解除ボタン５１を連結する連結穴６２を第１の端部５４Ａに設けている。ロック解除ボタン５１は、この連結穴６２に挿入する傾斜リブ６３を下面に突出するように設けている。図１４と図１６のロック解除ボタン５１は、３列の傾斜リブ６３を平行な姿勢として、間に隙間を設けている。３列の傾斜リブ６３は、連結穴６２に挿入されて、リンク機構５４を往復運動させる。傾斜リブ６３は、座台３１の支柱５との反対側を傾斜縁として、ロック解除ボタン５１が押し込まれると、傾斜リブ６３が連結穴６２の内面を摺動して、弾性体７１を圧縮する方向に引っ張るように傾斜する傾斜縁としている。このロック解除ボタン５１が押し込まれると、傾斜リブ６３の傾動縁が、連結穴６２の外側の内面である摺動縁を滑って、リンク機構５４が座面３１の先端方向に引っ張られる。ロック解除ボタン５１が押されない状態では、弾性体７１が弾性突出部５３を介してリンク機構５４を座台３１の連結部４０の方向に引っ張り、リンク機構５４の連結穴６２の摺動縁が傾斜リブ６３の傾斜縁に沿って摺動して、ロック解除ボタン５１を弾性的に押し上げている。したがって、このロック機構５０は、弾性突出部５３に連結している弾性体７１で、ロック解除ボタン５１を弾性的に押し上げ位置に配置できる。ただ、図示しないが、ロック機構を弾性体で弾性的に押し上げる構造とすることもできるのはいうまでもない。
【００６７】
さらに、図４に示す座台３１は、支柱５との連結部４０側である中央部に、操作凹部４７を設けている。この座台３１は、図９に示すように、水平姿勢から垂直姿勢に折り畳むときに、操作凹部４７に手の先端を挿入して、この部分を掴んで、上下台３６を簡単に上方に引き上げできる。さらに、図に示す座台３１は、上面に座面カバー７３を脱着自在に配設している。座面カバー７３は、軟質プラスチックやウレタン等のクッション材である。上面に、クッション材である座面カバー７３を備える座台３１は、座り心地をよくできる。
【００６８】
以上の構造の折り畳み椅子３０は、以下の動作をして開閉される。
［座台の折り畳み状態］
図３に示すように、上下台３６は上昇位置にあり、座台３１と折畳脚３２は、支柱５と平行な姿勢で折り畳まれる。折畳脚３２は座台３１の第１切欠部３５Ａに案内され、座台３１の幅広切欠部３５Ｂに第２リンク３４が案内される。第１リンク３３も支柱５と平行に折り畳まれる。この状態で、折り畳み椅子３０は、折り畳み状態に保持される。鞄をキャスター６で移動させるとき、あるいは折り畳み椅子３０を使用しないときは、この状態として折り畳み椅子３０を支柱５と平行な姿勢とする。
【００６９】
［座台を開いて椅子として使用するとき］
ロック解除ボタン５１を押してロック機構５０のロック状態を解除する。ロック解除ボタン５１が押されると、図１６に示すように、傾斜リブ６３の傾動縁が、連結穴６２の内面である外側の摺動縁を滑って、リンク機構５４が座面３１の先端方向に引っ張られる。リンク機構５４が座面３１の先端方向に引っ張られと、傾斜スリット６１内を連結軸５９が移動して、一対の弾性突出部５３を互いに接近させる方向に移動させる。互いに接近する弾性突出部５３は、係止凸部５６を座台３１の周壁３５の内側に引き込んで、係止部５２との係止状態を解除する。
【００７０】
ロック解除ボタン５１を押してロック状態を解除した後、図７の矢印Ａで示すように、座台３１を垂直姿勢から水平姿勢に傾動させる。さらに、図７の矢印Ｂで示すように、上下台３６を、座台ストッパ３７に当たるまで降下させて停止させる。水平姿勢に傾動する座台３１は、図７の矢印Ｃで示すように、折畳脚３２を開脚する。折畳脚３２の開脚は、第２リンク３４で制限される。この状態で、第２リンク３４は支柱５から離れるように傾動する。第２リンク３４が支柱５から離れる方向に傾動する状態で、第１リンク３３が支柱５と平行な姿勢にあると、弾性ロッド３９が弾性変形して、弾性力でもって、図７の矢印Ｄで示す方向に第１リンク３３を傾動させて、第１リンク３３と座台３１との連結部である第１リンク３３の水平部３３Ａを、座台３１の下面に沿って支柱５から離れる方向に移動させる。第１リンク３３の水平部３３Ａが支柱５から離れる方向に移動すると、弾性ロッド３９の変形は少なくなる。この状態で、座台３１は、図４ないし図６に示すように、第１リンク３３と折畳脚３２に支持されて水平ないしほぼ水平の姿勢に配置される。
【００７１】
［座台を閉じて折り畳み状態に収納するとき］
座台３１の連結部４０側に設けた操作凹部４７に手の先端部を挿入して、図９の矢印Ａで示すように、座台３１の連結部４０を上方に引き上げる。座台３１の連結部４０である上下台３６が支柱５に沿って上昇されて、座台３１が水平姿勢から垂直姿勢に傾動される。垂直姿勢に傾動する座台３１は、図９の矢印Ｂで示すように、折畳脚３２を閉じる。この状態で、第２リンク３４は支柱５に接近するように傾動する。第２リンク３４が支柱５に接近する方向に傾動する状態で、第１リンク３３が座台３１を支持する倒れた姿勢にあると、弾性ロッド３９が弾性変形して、弾性力でもって、図９の矢印Ｃで示す方向に第１リンク３３を傾動させて、第１リンク３３の水平部３３Ａを座台３１の下面に沿って支柱５に接近する方向に移動させる。第１リンク３３の水平部３３Ａが支柱５に接近する方向に移動すると、弾性ロッド３９の変形は少なくなる。この状態で、座台３１は、図３に示すように、垂直姿勢に折り畳まれて、折畳脚３２と第１リンク３３と第２リンク３４とを支柱５の間に収納する。さらに、この状態で、座台３１の両側に突出する弾性突出部５３の係止凸部５６が座台ストッパ３７の切欠部である係止部５２に係止されて、ロック機構５０が座台３１を垂直姿勢に保持する。
【図面の簡単な説明】
【００７２】
【図１】従来の折り畳み椅子を有する鞄の斜視図である。
【図２】図１に示す鞄の折り畳み椅子の使用状態を示す底面斜視図である。
【図３】本発明の一実施例にかかる折り畳み椅子を有する鞄の斜視図である。
【図４】図３に示す鞄の折り畳み椅子の使用状態を示す斜視図である。
【図５】図４に示す鞄の底面斜視図である。
【図６】図４に示す鞄の側面図である。
【図７】図３に示す鞄の折り畳み椅子を展開する状態を示す側面図である。
【図８】図３に示す鞄の折り畳み椅子を展開する状態を示す概略工程図である。
【図９】図６に示す鞄の折り畳み椅子を折り畳む状態を示す側面図である。
【図１０】支柱に設けた支柱ストッパの構造を示す拡大断面図である。
【図１１】図１０に示す支柱の支柱ストッパを解除した状態を示す拡大断面図である。
【図１２】弾性ロッドの拡大斜視図である。
【図１３】座台の底面図であってロック機構のロック状態を示す図である。
【図１４】図１３に示すロック機構の内部構造を示す概略底面斜視図である。
【図１５】座台の底面図であってロック機構の解除状態を示す図である。
【図１６】図１５に示すロック機構の内部構造を示す概略底面斜視図である。
【図１７】図１３に示す座台のＡ−Ａ線断面図である。
【図１８】ロック機構の係止部であって座台ストッパを示す拡大斜視図である。
【符号の説明】
【００７３】
１…水平台
３…鞄本体              ３Ａ…連結バンド
３Ｂ…連結隙間
４…グリップ
５…支柱                ５Ａ…引出ロッド
５Ｂ…ガイド筒
６…キャスター
７…垂直穴
８…補強壁              ８Ａ…補強リブ
９…突出部
１０…側壁
１１…連結ロッド
１２…連結穴
１３…連結フック
１４…挿入隙間
１５…ストッパ
１６…突出ピン          １６Ａ…突出部
１７…係止部
１８…解除機構
１９…弾性部材
２０…押しボタン
２１…駆動ロッド        ２１Ａ…水平ロッド
２１Ｂ…垂直ロッド
２２…回動片            ２２Ａ…ピン
２３…弾性体
２４…挿入キャップ
２５…ガイドキャップ
２６…連結筒部          ２６Ａ…挿通孔
２７…回転軸
２８…補強リブ
２９…貫通孔
３０…折り畳み椅子
３１…座台              ３１Ａ…凹部
３２…折畳脚
３３…第１リンク        ３３Ａ…水平部
３３Ｂ…連結点
３４…第２リンク
３５…周壁              ３５Ａ…第１切欠部
３５Ｂ…幅広切欠部
３５ａ…貫通孔
３６…上下台            ３６Ａ…貫通孔
３７…座台ストッパ
３８…スリット
３９…弾性ロッド        ３９Ａ…筒部
４０…連結部
４１…ガイド溝
４２…ボス
４３…リブ
４４…ガイドリブ
４５…ネジロッド
４６…摺動リブ
４７…操作凹部
４８…傾動軸
５０…ロック機構
５１…ロック解除ボタン
５２…係止部
５３…弾性突出部
５４…リンク機構        ５４Ａ…第１の端部
５４Ｂ…第２の端部
５５…リブ
５６…係止凸部          ５６Ａ…傾斜面
５７…スリット
５８…リブ
５９…連結軸
６０…ガイド隙間
６１…傾斜スリット
６２…連結穴
６３…傾斜リブ
６５…カバー            ６５Ａ…摺動リブ
７０…止ネジ
７１…弾性体
７２…止ネジ
７３…座面カバー
９０…椅子
９１…座台
９２…折畳脚
９５…支柱
【図１】
0004540725.tif 000002
【図２】
0004540725.tif 000003
【図３】
0004540725.tif 000004
【図４】
0004540725.tif 000005
【図５】
0004540725.tif 000006
【図６】
0004540725.tif 000007
【図７】
0004540725.tif 000008
【図８】
0004540725.tif 000009
【図９】
0004540725.tif 000010
【図１０】
0004540725.tif 000011
【図１１】
0004540725.tif 000012
【図１２】
0004540725.tif 000013
【図１３】
0004540725.tif 000014
【図１４】
0004540725.tif 000015
【図１５】
0004540725.tif 000016
【図１６】
0004540725.tif 000017
【図１７】
0004540725.tif 000018
【図１８】
0004540725.tif 000019